(57)【要約】【課題】印刷物に印刷されている画像に対応する画像データを容易に取得することである。【解決手段】第１の撮影装置としての携帯電話機１０において、撮像された被写体の画像データに対応する固有情報と自機のアドレスとをコード情報に変換し、その画像データ及びコード情報を印刷装置であるプリンタ４０に送信して印刷させる。第２の撮影装置としての携帯電話機５０において、プリンタ４０により印刷された印刷物８０が撮像され、撮像された画像データのコード情報を解析して携帯電話機１０のアドレスと実画像データ部分に対応する固有情報とを取得し、当該固有情報を携帯電話機１０のアドレスに送信する。携帯電話機１０において、固有情報を携帯電話機５０から受信した場合に、当該固有情報に対応する画像データを検索して携帯電話機５０に送信する。【選択図】図１
2005277659.tif 000002
【特許請求の範囲】
【請求項１】
被写体を撮像して画像データを出力する撮像手段と、
前記撮像手段により撮像された画像データを記憶する記憶手段と、
前記撮像手段により撮像された画像データに対応する固有情報を生成し、自機の通信用アドレスと前記固有情報とをコード情報に変換し、前記画像データ及び前記コード情報を印刷データとして印刷装置に出力する印刷データ出力手段と、
を備えることを特徴とする撮影装置。
【請求項２】
外部機器と通信する通信手段と、
前記通信手段を介して前記固有情報を外部機器から受信した場合に、当該受信した固有情報に対応する画像データを前記記憶手段から検索し、当該検索された画像データを前記通信手段を介して前記固有情報の送信元に送信する画像データ送信手段と、
を備えることを特徴とする請求項１に記載の撮影装置。
【請求項３】
他の撮影装置から出力された印刷データに基づいて印刷された印刷物を前記撮像手段により撮像し、当該印刷物に印刷されたコード情報を解析し、前記他の撮影装置の通信用アドレスと前記印刷物に印刷された画像の画像データに対応する固有情報とを取得し、当該固有情報を含む画像データ要求を前記通信手段を介して前記他の撮影装置の通信用アドレスに送信する画像データ要求手段と、
を備えることを特徴とする請求項１又は２に記載の撮影装置。
【請求項４】
外部機器と通信する通信手段と、
被写体を撮像して画像データを出力する撮像手段と、
他の撮影装置から出力された印刷データに基づいて印刷された印刷物を前記撮像手段により撮像し、当該印刷物に印刷されたコード情報を解析し、前記他の撮影装置の通信用アドレスと前記印刷物に印刷された画像の画像データに対応する固有情報とを取得し、当該固有情報を含む画像データ要求を前記通信手段を介して前記他の撮影装置の通信用アドレスに送信する画像データ要求手段と、
を備えることを特徴とする撮影装置。
【請求項５】
被写体を撮像して画像データを出力する第１の撮像手段と、
前記第１の撮像手段により撮像された画像データを記憶する記憶手段と、
前記第１の撮像手段により撮像された画像データに対応する固有情報を生成し、自機の通信用アドレスと前記固有情報とをコード情報に変換し、前記画像データ及び前記コード情報を印刷データとして印刷装置に出力する印刷データ出力手段と、
外部機器と通信する第１の通信手段と、を備える第１の撮影装置と、
外部機器と通信する第２の通信手段と、
被写体を撮像して画像データを出力する第２の撮像手段と、
前記第１の撮影装置から出力された印刷データに基づいて印刷された印刷物を前記第２の撮像手段により撮像し、当該印刷物に印刷されたコード情報を解析し、前記第１の撮影装置の通信用アドレスと前記印刷物に印刷された画像の画像データに対応する固有情報とを取得し、当該固有情報を含む画像データ要求を前記第２の通信手段を介して前記第１の撮影装置の通信用アドレスに送信する画像データ要求手段と、を備える第２の撮影装置と、を具備し、
前記第１の撮影装置は、前記第１の通信手段を介して前記固有情報を含む画像データ要求を前記第２の撮影装置から受信した場合に、当該受信した固有情報に対応する画像データを前記記憶手段から検索し、当該検索された画像データを前記第１の通信手段を介して前記第２の撮影装置に送信する画像データ送信手段をさらに備えたことを特徴とする撮影システム。
【発明の詳細な説明】
【技術分野】
【０００１】
本発明は、撮影装置及び撮影システムに関する。
【背景技術】
【０００２】
従来、携帯電話機には、撮影機能が付加されたものがあった。その携帯電話機により撮影された画像データは、ＰＣ用プリンタが接続されたＰＣ（Personal Computer）に送信されてそのＰＣ用プリンタで印刷されるか、あるいは、携帯電話機に直接接続される携帯電話機用プリンタにより印刷されていた。
【０００３】
また、印刷物に印刷情報の保管位置を示す管理情報も印刷するようにして、再印刷時に、その印刷された管理情報をスキャナで読み出して解読し、その解読した保管場所から印刷データを取り出して再印刷するシステムが考えられている（例えば、特許文献１参照）。
【特許文献１】特開２００３−１９８３１号公報
【発明の開示】
【発明が解決しようとする課題】
【０００４】
しかし、従来の構成では、携帯電話機で撮影された画像データが印刷物として紙に印刷されている場合に、他のユーザが、印刷物に印刷されている画像を見て気に入り、その画像データを入手しようとしても、画像データの撮影ユーザを特定することが困難であり、印刷物に印刷されている画像の画像データを取得することは難しかった。
【０００５】
本発明の課題は、印刷物に印刷されている画像に対応する画像データを容易に取得することである。
【課題を解決するための手段】
【０００６】
以上の課題を解決するために、本発明は、
被写体を撮像して画像データを出力する撮像手段と、
前記撮像手段により撮像された画像データを記憶する記憶手段と、
前記撮像手段により撮像された画像データに対応する固有情報を生成し、自機の通信用アドレスと前記固有情報とをコード情報に変換し、前記画像データ及び前記コード情報を印刷データとして印刷装置に出力する印刷データ出力手段と、
を備えることを特徴とする撮影装置である。
【０００７】
また、例えば、外部機器と通信する通信手段と、
前記通信手段を介して前記固有情報を外部機器から受信した場合に、当該受信した固有情報に対応する画像データを前記記憶手段から検索し、当該検索された画像データを前記通信手段を介して前記固有情報の送信元に送信する画像データ送信手段と、
を備えることとして構成してもよい。
【０００８】
また、例えば、他の撮影装置から出力された印刷データに基づいて印刷された印刷物を前記撮像手段により撮像し、当該印刷物に印刷されたコード情報を解析し、前記他の撮影装置の通信用アドレスと前記印刷物に印刷された画像の画像データに対応する固有情報とを取得し、当該固有情報を含む画像データ要求を前記通信手段を介して前記他の撮影装置の通信用アドレスに送信する画像データ要求手段と、
を備えることとして構成してもよい。
【０００９】
また、本発明は、
外部機器と通信する通信手段と、
被写体を撮像して画像データを出力する撮像手段と、
他の撮影装置から出力された印刷データに基づいて印刷された印刷物を前記撮像手段により撮像し、当該印刷物に印刷されたコード情報を解析し、前記他の撮影装置の通信用アドレスと前記印刷物に印刷された画像の画像データに対応する固有情報とを取得し、当該固有情報を含む画像データ要求を前記通信手段を介して前記他の撮影装置の通信用アドレスに送信する画像データ要求手段と、
を備えることを特徴とする撮影装置である。
【００１０】
また、本発明は、
被写体を撮像して画像データを出力する第１の撮像手段と、
前記第１の撮像手段により撮像された画像データを記憶する記憶手段と、
前記第１の撮像手段により撮像された画像データに対応する固有情報を生成し、自機の通信用アドレスと前記固有情報とをコード情報に変換し、前記画像データ及び前記コード情報を印刷データとして印刷装置に出力する印刷データ出力手段と、
外部機器と通信する第１の通信手段と、を備える第１の撮影装置と、
外部機器と通信する第２の通信手段と、
被写体を撮像して画像データを出力する第２の撮像手段と、
前記第１の撮影装置から出力された印刷データに基づいて印刷された印刷物を前記第２の撮像手段により撮像し、当該印刷物に印刷されたコード情報を解析し、前記第１の撮影装置の通信用アドレスと前記印刷物に印刷された画像の画像データに対応する固有情報とを取得し、当該固有情報を含む画像データ要求を前記第２の通信手段を介して前記第１の撮影装置の通信用アドレスに送信する画像データ要求手段と、を備える第２の撮影装置と、を具備し、
前記第１の撮影装置は、前記第１の通信手段を介して前記固有情報を含む画像データ要求を前記第２の撮影装置から受信した場合に、当該受信した固有情報に対応する画像データを前記記憶手段から検索し、当該検索された画像データを前記第１の通信手段を介して前記第２の撮影装置に送信する画像データ送信手段をさらに備えたことを特徴とする撮影システムである。
【発明の効果】
【００１１】
本発明によれば、（第１の）撮影装置において、撮像された画像データに対応する固有情報を生成し、自機のアドレスと前記固有情報とをコード情報に変換し、その画像データ及びコード情報を印刷データとして印刷装置に出力するので、自機のアドレスと固有情報とをコード情報として含む印刷物を印刷装置に容易に印刷させることができる。
【００１２】
また、（第２の）撮影装置において、撮像された印刷物の画像データ内のコード情報を解析し、他の撮影装置（第１の撮影装置）の通信用アドレスと印刷物に印刷された画像の画像データに対応する固有情報とを取得し、当該固有情報を含む画像データ要求を他の撮影装置の通信用アドレスに送信するので、印刷物に印刷された画像に対応する画像データをその撮影装置に容易に要求できる。
【００１３】
また、（第１の）撮影装置において、固有情報を外部機器（第２の撮影装置）から受信した場合に、当該受信した固有情報に対応する画像データを検索し、当該検索された画像データを固有情報の送信元に送信するので、印刷物に印刷された画像に対応する画像データをその要求元に容易に提供できる。
【発明を実施するための最良の形態】
【００１４】
以下、添付図面を参照して本発明に係る好適な実施の形態を詳細に説明する。先ず、図１〜図５を参照して、本実施の形態の装置構成を説明する。図１に、本実施の形態の携帯電話システム１００の構成を示す。図２に、携帯電話機１０の外観を示す。図３に、携帯電話機１０の内部構成を示す。図４に、プリンタ４０の内部構成を示す。図５に、携帯電話機５０の内部構成を示す。
【００１５】
図１に示すように、本実施の形態の携帯電話システム１００は、メール送受信機能を有する携帯電話機１０と、携帯電話機の通信及び通話を介する基地局３１，３２と、プリンタ４０と、携帯電話機５０とを備えて構成され、基地局３１，３２が通信ネットワークＮに接続され、携帯電話機１０，５０が基地局３１，３２と無線通信接続可能である。また、携帯電話機１０は、通信ケーブルにより、プリンタ４０と通信接続可能である。
【００１６】
プリンタ４０は、代表的に示したものであり、その台数がこの例に限定されるものではない。また、基地局３１，３２は、複数の基地局を代表して示したものであり、その台数がこの例に限定されるものではない。
【００１７】
また、携帯電話機１０は、メールなどの通信機能と、被写体の撮影機能とを有する情報処理装置であればよく、例えば、ＰＨＳ（Personal Handyphone System）、ＰＤＡ（Personal Digital Assistant）、携帯式ＰＣなどとしてもよい。携帯電話機５０についても携帯電話機１０と同様である。
【００１８】
通信ネットワークＮは、データ通信網及び電話回線網を含み、ＷＡＮ（Wide Area Network）、ＬＡＮ（Local Area Network）、ＩＳＤＮ（Integrated Services Digital Network）回線網、広帯域通信回線網、専用線、移動体通信網、通信衛星回線、ＣＡＴＶ（Cable Television）回線、光通信回線、無線通信回線と、それらを接続するインターネットサービスプロバイダなどを含む構成でもよい。
【００１９】
次いで、携帯電話機１０の構成を説明する。図２及び図３に示すように、携帯電話機１０は、ＣＰＵ１１と、ＲＯＭ１２と、ＲＡＭ１３と、液晶表示部１４と、キー入力部１５と、通信手段としてのアンテナ１６及び無線部１７と、スピーカ１８と、マイク１９と、音声変換回路２０と、バイブレータ２１と、鳴音部２２と、記憶手段としてのフラッシュメモリ２３と、撮像手段としての撮像部２４と、Ｉ／Ｆ（インタフェース）部２５と、を備えて構成される。
【００２０】
ＣＰＵ１１は、携帯電話機１０内の各部を中央制御する。ＣＰＵ１１は、ＲＯＭ１２に格納されているシステムプログラム及び各種アプリケーションプログラムの中から指定されたプログラムをＲＡＭ１３に展開し、ＲＡＭ１３に展開されたプログラムとの協働で、各種処理を実行する。
【００２１】
ＲＯＭ１２は、各種データ及び各種プログラムを読み出し可能に記憶する。ＲＡＭ１３は、前記指定されたプログラム、入力指示、入力データ及び処理結果などを格納するワークエリアを有し、情報を一時的に格納する。
【００２２】
液晶表示部１４は、ＣＰＵ１１から入力される各種情報を表示する。また、液晶表示部１４に代えて、ＥＬディスプレイ（ElectroLuminescent Display）などの表示部としてもよい。
【００２３】
キー入力部１５は、ダイヤルキー（文字入力キー）、メニューキー及び各種機能キーなどの入力キーを備えて構成され、操作者（ユーザ）により押下されたキーに対応する押下信号をＣＰＵ１１に出力する。
【００２４】
無線部１７は、搬送波を音声変換回路２０から入力される通信データで変調処理し、アンテナ１６を介して無線通信信号を基地局３１に発信する。また、無線部１７は、アンテナ１６を介して基地局３１から受信した無線通信信号を、復調処理して通信データを取得し、その通信データを音声変換回路２０に出力する。また、無線部１７は、搬送波をＣＰＵ１１から入力される通信データで変調処理し、アンテナ１６を介して無線通信信号を基地局３１に発信する。また、無線部１７は、アンテナ１６を介して基地局３１から受信した無線通信信号を、復調処理して通信データを取得し、その通信データをＣＰＵ１１に出力する。つまり、無線部１７は、基地局３１及びアンテナ１６を介して、外部の通信データの送信先又は送信元の機器と無線通信接続される。
【００２５】
音声変換回路２０は、マイク１９から入力された音声信号をコード化処理して通信データに変換して無線部１７に出力する。また、音声変換回路２０は、無線部１７から入力された通信データをデコード処理して音声信号に変換してスピーカ１８に出力する。つまり、通話時に、マイク１９から入力された音声信号は、音声変換回路２０、無線部１７を順に介して無線通信信号としてアンテナ１６から発信され、当該無線通信信号が基地局３１を介して通話先の携帯電話などに送信される。また、通話時に、通話先の携帯電話などから基地局３１を介して送信された無線通信信号がアンテナ１６により受信され、無線部１７、音声変換回路２０を介して音声信号としてスピーカ１８から出力される。
【００２６】
バイブレータ２１は、携帯電話機１０の着信時などにＣＰＵ１１からの振動指示入力により振動し、当該振動によりユーザに通話やメールの着信などを報知する。鳴音部２２は、携帯電話機１０の着信時などにＣＰＵ１１からの鳴音指示により鳴音し、当該鳴音によりユーザに通話やメールの着信などを報知する。フラッシュメモリ２３は、電気的にデータの書き換えが可能な不揮発性のメモリである。
【００２７】
撮像部２４は、レンズなどの光学系と、ＣＣＤ（Charge Coupled Device）などの画像読み取り部とを備え、光学系を介して入射された被写体の画像を画像データに変換して出力する。Ｉ／Ｆ部２５は、シリアルバス、ＵＳＢ（Universal Serial Bus）などの通信ケーブルにより、プリンタ４０などの外部機器と通信接続する。
【００２８】
次いで、図４を参照してプリンタ４０の内部構成を説明する。プリンタ４０は、ＣＰＵ４１と、操作部４２と、ＲＡＭ４３と、表示部４４と、記憶部４５と、Ｉ／Ｆ部４６と、プリント部４７と、を備えて構成され、各部がバス４８により接続される。
【００２９】
ＣＰＵ４１は、プリンタ４０内の各部を中央制御する。ＣＰＵ４１は、記憶部４５に格納されているシステムプログラム及び各種アプリケーションプログラムの中から指定されたプログラムをＲＡＭ４３に展開し、ＲＡＭ４３に展開されたプログラムとの協働で、各種処理を実行する。
【００３０】
操作部４２は、各種入力キーを備えて構成され、操作者（ユーザ）により押下されたキーに対応する押下信号をＣＰＵ４１に出力する。表示部４４は、液晶方式、ＥＬ方式などで、ＣＰＵ４１から入力される各種情報を表示する。操作部４２は、表示部４４とともにタッチパネルを構成するものとしてもよい。
【００３１】
ＲＡＭ４３は、前記指定されたプログラム、入力指示、入力データ及び処理結果などを格納するワークエリアを有し、情報を一時的に格納する。記憶部４５は、ＲＯＭなどにより各種初期データ及び各種プログラムを読み出し可能に記憶するとともに、フラッシュメモリ、ＨＤＤ（ハードディスクドライブ）などにより、各種データ及び各種プログラムを読み書き可能に記憶する。
【００３２】
Ｉ／Ｆ部４６は、シリアルバス、ＵＳＢ（Universal Serial Bus）などの通信ケーブルにより、携帯電話機１０などの外部機器と通信接続する。プリント部４７は、インクジェット式、レーザ式、感熱式などの印刷方式のプリント部であり、ＣＰＵ４１の指示により、記録紙などの記録媒体上に画像データの画像を記録する。
【００３３】
次いで、図５に示すように、携帯電話機５０は、ＣＰＵ５１と、ＲＯＭ５２と、ＲＡＭ５３と、液晶表示部５４と、キー入力部５５と、アンテナ５６及び無線部５７と、スピーカ５８と、マイク５９と、音声変換回路６０と、バイブレータ６１と、鳴音部６２と、フラッシュメモリ６３と、撮像部６４と、Ｉ／Ｆ部６５と、を備えて構成される。ＣＰＵ５１、ＲＯＭ５２、ＲＡＭ５３、液晶表示部５４、キー入力部５５、アンテナ５６、無線部５７、スピーカ５８、マイク５９、音声変換回路６０、バイブレータ６１、鳴音部６２、フラッシュメモリ６３、撮像部６４及びＩ／Ｆ部６５は、順に、携帯電話機１０のＣＰＵ１１、ＲＯＭ１２、ＲＡＭ１３、液晶表示部１４、キー入力部１５、アンテナ１６、無線部１７、スピーカ１８、マイク１９、音声変換回路２０、バイブレータ２１、鳴音部２２、フラッシュメモリ２３、撮像部２４及びＩ／Ｆ部２５と同様の構成であり、その説明を省略する。
【００３４】
次に、図６〜図１１を参照して、携帯電話システム１００の動作を説明する。図６に、携帯電話機１０において実行される撮影処理を示す。図７に、携帯電話機１０において実行されるプリント処理を示す。図８に、印刷物８０の構成を示す。図９に、携帯電話機５０において実行される画像データ要求処理を示す。図１０に、電子メール９０の構成を示す。図１１に、携帯電話機１０において実行される電子メール受信処理を示す。
【００３５】
図６を参照して、携帯電話機１０において実行される撮影処理を説明する。撮影処理は、携帯電話機１０において、被写体（風景）を撮影して、その撮影した画像データを、メールアドレス及び対応する固有番号とともに記憶する処理である。携帯電話機１０において、ユーザにより撮影処理実行指示がキー入力部１５を介して入力されたことをトリガとして、ＣＰＵ１１と、ＲＯＭ１２から適宜読み出されてＲＡＭ１３に展開された撮影プログラムとの協働により撮影処理が実行される。
【００３６】
先ず、ユーザのキー入力部１５を介する撮影操作入力に基づいて、撮像部２４により被写体が撮像され、被写体の画像データが取得されることにより、被写体が撮影される（ステップＳ１１）。撮像された画像データは、一旦ＲＡＭ１３に記憶される。例えば、図１に示す被写体（風景）７０が撮影される。
【００３７】
そして、ステップＳ１１において撮影された画像データが液晶表示部１４に表示され、ユーザのキー入力部１５を介する、画像データを記憶するか否かの入力が受け付けられ、その入力に基づいて、画像データを記憶するか否かが判別される（ステップＳ１２）。
【００３８】
画像データを記憶しない場合（ステップＳ１２；ＮＯ）、撮影処理が終了される。画像データを記憶する場合（ステップＳ１２；ＹＥＳ）、撮影した画像データごとでユニークな固有番号が生成される（ステップＳ１３）。そして、ＲＡＭ１３に格納された画像データと、ステップＳ１３において生成された固有番号とが、フラッシュメモリ２３に記憶され（ステップＳ１４）、撮影処理が終了される。
【００３９】
撮影処理の繰り返しの実行により、携帯電話機１０のフラッシュメモリ２３に画像データが次々に記憶されていく。また、固有番号は、画像データと別々に管理される情報としてもよく、画像データのヘッダ情報などとして、画像データと一体にする構成としてもよい。
【００４０】
次いで、図７及び図８を参照して、携帯電話機１０において実行されるプリント処理を説明する。プリント処理は、携帯電話機１０において、撮影された画像データをプリンタ４０によりプリントして印刷物として出力させる処理である。予め、携帯電話機１０のＩ／Ｆ部２５は、プリンタ４０のＩ／Ｆ部４６とが、通信ケーブルを介して接続されているものとする。また、撮影処理の実行により、携帯電話機１０のフラッシュメモリ２３に少なくとも１つの画像データが記憶されているものとする。
【００４１】
携帯電話機１０において、ユーザによりプリント処理実行指示がキー入力部１５を介して入力されたことをトリガとして、ＣＰＵ１１と、ＲＯＭ１２から適宜読み出されてＲＡＭ１３に展開されたプリントプログラムとの協働によりプリント処理が実行される。
【００４２】
先ず、キー入力部１５を介するユーザからの選択入力により、フラッシュメモリ２３に対応してフラッシュメモリ２３に記憶されている画像データのうち、プリント対象のものが選択される（ステップＳ２１）。そして、ステップＳ２１において選択された画像データに対応してフラッシュメモリ２３に記憶される固有番号と、携帯電話機１０固有のメールアドレスとが２次元コード化されて、２次元コードが生成される（ステップＳ２２）。
【００４３】
そして、ステップＳ２１において選択された画像データと、ステップＳ２２において生成された２次元コードとが、Ｉ／Ｆ部２５を介してプリンタ４０に送信されて、プリンタ４０において記録媒体上に記録されて印刷物が出力され（ステップＳ２３）、プリント出力が終了される。プリンタ４０において、Ｉ／Ｆ部４６を介して受信された画像データ及び２次元コードがプリント部４７により記録媒体上に記録される。
【００４４】
例えば、図１及び図８に示すように、プリンタ４０において、記録紙上に、被写体７０の実画像データ部分８１と、実画像データ部分８１に対応する２次元コード８２とが記録されて、印刷物８０が取得される。
【００４５】
次いで、図９を参照して、携帯電話機５０において実行される画像データ要求処理を説明する。画像データ要求処理は、携帯電話機５０において印刷物を撮影して、その画像データから２次元コードを解析して、その解析結果に対応する画像データを、その撮影した携帯電話機１０に電子メールで要求する処理である。より具体的には、携帯電話機５０のユーザが、画像データがプリントされている印刷物を見て気に入り、その画像が画像データとして欲しい場合に、その画像を撮影した携帯電話機１０のユーザに、その画像データの要求をメール送信するものである。
【００４６】
携帯電話機５０において、ユーザにより画像データ要求処理実行指示がキー入力部５５を介して入力されたことをトリガとして、ＣＰＵ５１と、ＲＯＭ５２から適宜読み出されてＲＡＭ５３に展開された画像データ要求プログラムと、の協働により画像データ要求処理が実行される。
【００４７】
先ず、ユーザのキー入力部５５を介する撮影操作入力に基づいて、撮像部６４により印刷物の画像が撮像されてその画像データが取得される（ステップＳ３１）。そして、ステップＳ３１により撮影された印刷物の画像データから、実画像データ部分とは別に、２次元コードの画像部分が解析されて、その画像を撮影した携帯電話機のメールアドレスと固有番号とが取得される（ステップＳ３２）。
【００４８】
そして、ステップＳ３２において二次元コードの解析が成功したか否かが判別される（ステップＳ３３）。二次元コードの解析が成功しなかった場合（ステップＳ３３；ＮＯ）、画像データ要求処理が終了される。二次元コードの解析が成功した場合（ステップＳ３３；ＹＥＳ）、解析により取得されたメールアドレス及び固有番号が特定される（ステップＳ３４）。
【００４９】
そして、印刷物に記録された画像の画像データを要求する電子メールが生成されて、無線部５７、アンテナ５６を介して、送信先のメールアドレス（携帯電話機１０）に送信され（ステップＳ３５）、画像データ要求処理が終了される。具体的には、画像データを要求する電子メールが、送信元の携帯電話機５０から、基地局３２、通信ネットワークＮ及び基地局３１を介して、送信先の携帯電話機１０に送信される。ステップＳ３５においては、例えば、図１０に示すように、宛先９１を解析後の携帯電話機１０のメールアドレスとし、件名９２を「画像データ要求」とし、本文９３を解析後の固有番号とした電子メール９０が生成されて送信される。
【００５０】
次いで、図１１を参照して、携帯電話機１０において実行される電子メール受信処理を説明する。電子メール受信処理は、携帯電話機１０において、電子メールを受信し、特に、画像データ要求されている電子メールを受信した場合に、要求されている画像データを要求元に送信する処理である。
【００５１】
携帯電話機１０において、アンテナ１６及び無線部１７を介して、外部機器から電子メールを受信開始したことをトリガとして、ＣＰＵ１１と、ＲＯＭ１２から適宜読み出されてＲＡＭ１３に展開された電子メール受信プログラムとの協働により電子メール受信処理が実行される。
【００５２】
先ず、電子メールが受信完了される（ステップＳ４１）。そして、電子メールが画像データ要求の旨のメールであるか否かが判別される（ステップＳ４２）。画像データ要求の旨のメールである場合（ステップＳ４２；ＹＥＳ）、受信した電子メールの本文から、要求対象の画像データの固有番号が読み出される（ステップＳ４３）。
【００５３】
そして、ステップＳ４３において読み出された固有番号に対応する要求対象の画像データがフラッシュメモリ２３から検索され、その画像データがフラッシュメモリ２３に記憶されているか否かが判別される（ステップＳ４４）。要求対象の画像データが撮影されたのは、携帯電話機１０であるが、ユーザの操作などにより、要求対象の画像データがフラッシュメモリ２３から削除されている可能性があるために検索が行われる。
【００５４】
要求対象の画像データが記憶されている場合（ステップＳ４４；ＹＥＳ）、フラッシュメモリ２３から要求対象の画像データが読み出されて、ステップＳ４１において受信された電子メールの送信元のメールアドレスを宛先とし、読み出された画像データが添付された電子メールが生成され、無線部１７及びアンテナ１６を介して送信先（携帯電話機５０）に送信され（ステップＳ４５）、電子メール送信処理が終了される。携帯電話機５０は、基地局３１、通信ネットワークＮ及び基地局３２を介して、画像データが添付された電子メールを受信して、要求した画像データを取得する。
【００５５】
要求対象の画像データが記憶されていない場合（ステップＳ４４；ＮＯ）、ステップＳ４１において受信された電子メールの送信元のメールアドレスを宛先とし、要求対象の画像データがない旨の件名及び本文の電子メールが生成され、無線部１７及びアンテナ１６を介して送信先（携帯電話機５０）に送信され（ステップＳ４６）、電子メール送信処理が終了される。携帯電話機５０は、基地局３１、通信ネットワークＮ及び基地局３２を介して、画像データが無い旨の電子メールを受信して、要求した画像データを取得する。
【００５６】
画像データ要求の旨のメールでない場合（ステップＳ４２；ＮＯ）、通常のメール処理がなされ（ステップＳ４７）、電子メール受信処理が終了される。例えば、ステップＳ４１において受信された電子メールが受信フォルダに格納される。
【００５７】
以上、本実施の形態によれば、携帯電話機１０において、撮像された被写体７０の画像データに対応する固有情報を生成し、前記画像データをプリンタ４０に印刷させる場合に、自機のメールアドレスと固有情報とを２次元コードに変換し、画像データ及び２次元コードを印刷データとしてプリンタ４０に出力するので、自機のメールアドレスと固有情報とを２次元コードとして含む印刷物８０をプリンタ４０に容易に印刷させることができる。
【００５８】
また、携帯電話機５０において、撮像された印刷物８０の画像データ内の２次元コードを解析し、その解析により携帯電話機１０のメールアドレスと実画像データ部分８１に対応する固有情報とを取得し、当該固有情報を含む画像データ要求を携帯電話機１０のメールアドレスにメール送信するので、印刷物８０に印刷された実画像データ部分８１に対応する画像データをその撮影装置としての携帯電話機１０に容易に要求できる。
【００５９】
また、携帯電話機１０において、固有情報を含むメールを携帯電話機５０から受信した場合に、当該受信した固有情報に対応する画像データをフラッシュメモリ２３から検索し、検索された場合に、当該検索された画像データを固有情報の送信元の携帯電話機５０に送信するので、印刷物８０に印刷された実画像データ部分８１に対応する画像データをその要求元に容易に提供できる。
【００６０】
なお、携帯電話機１０とプリンタ４０とは通信ケーブルで接続する構成としたが、これに限定されるものではなく、無線通信、赤外線通信などの通信方式で接続される構成などとしてもよい。また、携帯電話機１０により撮影された画像データのプリントは、ＰＣ、サーバ機などの機器を介してプリンタにプリント出力させる構成としてもよい。
【００６１】
また、上記実施の形態において、携帯電話機１０と携帯電話機５０とを別々の携帯電話機としてして構成したがこれに限定されるものではない。例えば、携帯電話機１０の機能と携帯電話機５０の両方の機能とを有する携帯電話機として構成してもよい。
【００６２】
また、上記実施の形態において、携帯電話機１０で撮影した被写体の画像に対応する固有情報を用いる構成としたがこれに限定されるものではなく、数字及び文字などの少なくとも１つを用いる固有情報としてもよい。また、上記実施の形態において、メールアドレス及び固有情報を含む２次元コードを印刷する構成としたがこれに限定されるものではなく、１次元バーコードなどの形式のコード情報としてもよい。
【００６３】
また、上記各実施の形態における携帯電話システム１００の各構成要素の細部構成及び細部動作に関しては、本発明の趣旨を逸脱することのない範囲で適宜変更可能であることは勿論である。
【図面の簡単な説明】
【００６４】
【図１】本発明に係る実施の形態の携帯電話システム１００の構成を示す図である。
【図２】携帯電話機１０の外観図である。
【図３】携帯電話機１０の内部構成を示すブロック図である。
【図４】プリンタ４０の内部構成を示すブロック図である。
【図５】携帯電話機５０の内部構成を示すブロック図である。
【図６】携帯電話機１０において実行される撮影処理を示すフローチャートである。
【図７】携帯電話機１０において実行されるプリント処理を示すフローチャートである。
【図８】印刷物８０の構成を示す図である。
【図９】携帯電話機５０において実行される画像データ要求処理を示すフローチャートである。
【図１０】電子メール９０の構成を示す図である。
【図１１】携帯電話機１０において実行される電子メール受信処理を示すフローチャートである。
【符号の説明】
【００６５】
１００  携帯電話システム
１０，５０  携帯電話機
１１，５１  ＣＰＵ
１２，５２  ＲＯＭ
１３，５３  ＲＡＭ
１４，５４  液晶表示部
１５，５５  キー入力部
１６，５６  アンテナ
１７，５７  無線部
１８，５８  スピーカ
１９，５９  マイク
２０，６０  音声変換回路
２１，６１  バイブレータ
２２，６２  鳴音部
２３，６３  フラッシュメモリ
２４，６４  撮像部
２５，６５  Ｉ／Ｆ部
３１，３２  基地局
４０  プリンタ
４１  ＣＰＵ
４２  操作部
４３  ＲＡＭ
４４  表示部
４５  記憶部
４６  Ｉ／Ｆ部
４７  プリント部
４８  バス
【図１】
2005277659.tif 000003
【図２】
2005277659.tif 000004
【図３】
2005277659.tif 000005
【図４】
2005277659.tif 000006
【図５】
2005277659.tif 000007
【図６】
2005277659.tif 000008
【図７】
2005277659.tif 000009
【図８】
2005277659.tif 000010
【図９】
2005277659.tif 000011
【図１０】
2005277659.tif 000012
【図１１】
2005277659.tif 000013